(57)【要約】【課題】同じリールおよびスプールを用いて、実釣りにおける様々な状況変化に十分対応することのできるドラグ性能特性を選択可能とした魚釣用リールを提供すること【解決手段】リール本体１２に設けた支軸２０に、釣糸を巻回するスプール２２を回転自在に装着し、このスプールの凹部２３内に配置した摩擦装置を、押圧板３８を介して押圧し、押圧板３８とスプール２２との間に配置されかつ互いに摩擦係合する少なくとも一対の摩擦係合面により、支軸２０に対するスプール２２の摩擦結合力を形成するドラグ装置２４を備え、この摩擦装置は、複数対の摩擦係合面を形成する摩擦装置３５と、この摩擦装置よりも少ない対の摩擦係合面を形成する摩擦装置３６とを互いに交換可能とした魚釣用リール。【選択図】    図１
2004290063.tif 000002
【特許請求の範囲】
【請求項１】
リール本体に設けた支軸に、釣糸を巻回するスプールを回転自在に装着し、このスプールの軸方向に開口する凹部内に配置した摩擦装置を、前記支軸に回り止めされた押圧板を介してスプールに押圧し、前記摩擦装置を介挿した押圧板とスプールとの間に配置されかつ互いに摩擦係合する少なくとも一対の摩擦係合面により、前記支軸に対するスプールの摩擦結合力を形成するドラグ装置を備えた魚釣用リールであって、
前記摩擦装置は、スプールに回り止めされるスプール側摩擦板と支軸に回り止めされる支軸側摩擦板とを交互に配置して複数対の摩擦係合面を形成する強制動ユニットと、スプールと支軸との一方に回り止めされて他方との間に前記強制動ユニットよりも少ない対の摩擦係合面を形成する弱制動ユニットとを互いに交換可能としたことを特徴とする魚釣用リール。
【請求項２】
前記強制動ユニットと弱制動ユニットとは、互いに軸方向長さがほぼ等しく形成されることを特徴とする請求項１に記載の魚釣用リール。
【請求項３】
前記支軸に螺合され、押圧板の押圧力を調節する調節ツマミを有することを特徴とする請求項１又は２に記載の魚釣用リール。
【発明の詳細な説明】
【０００１】
【発明の属する技術分野】
本発明は、魚釣用リールに関し、特に釣糸が巻回されるスプールの回転に抵抗力を付与するドラグ装置を備えた魚釣用リールに関する。
【０００２】
【従来の技術】
一般に、ドラグ装置を備えた魚釣用リールは、リール本体に設けた支軸に、釣糸を巻回するスプールを回転自在に装着し、このスプールの軸方向に開口する凹部内に配置した摩擦装置を、支軸に回り止めされた押圧板を介してスプールに押圧し、摩擦装置を介挿した押圧板とスプールとの間に配置されかつ互いに摩擦係合する少なくとも一対の摩擦係合面により、支軸に対するスプールの摩擦結合力を形成する。
【０００３】
このような魚釣用リールには、摩擦装置を形成する複数のワッシャをスプールに着脱可能なカセット式に形成し、実釣に必要なドラグ機能を付与すると共に、競技あるいは遠投等を行う場合には、これらのワッシャを取外してスプールと支軸とを一体的に結合可能としたものがある（例えば特許文献１および特許文献２参照）。
【０００４】
このような魚釣用リールによると、ドラグ装置を装備したスプールユニットやドラグ装置を持たないリール等の種々の用具を用意することなく、１つの魚釣用リールで、ドラグ機能を有する魚釣用リールとドラグ機能を持たない魚釣用リールとの双方を兼用することができる。
【０００５】
【特許文献１】
実公昭５５−１７８２４号公報
【０００６】
【特許文献２】
実公昭５７−１９９８５号公報
【０００７】
【発明が解決しようとする課題】
しかし、上述のようなドラグ機能の使用状態と、ドラグ機能の使用不能状態とを切換えるとしても、ドラグ機能の制動特性を変更することはできない。このため、釣対象魚あるいは釣法等によって、強い制動力・粘りが必要とされる場合や、強い制動力は必要ないが滑らかな滑り出しと釣糸張力の変動が少ない制動力が必要な場合等の実釣りにおける様々な状況変化に対応させることはできない。
【０００８】
本発明は、このような事情に基づいてなされたもので、同じリールおよびスプールを用いて、実釣りにおける様々な状況変化に十分対応することのできるドラグ性能特性を選択可能とした魚釣用リールを提供することを目的とする。
【０００９】
【課題を達成するための手段】
上記目的を達成する本発明の魚釣用リールは、リール本体に設けた支軸に、釣糸を巻回するスプールを回転自在に装着し、このスプールの軸方向に開口する凹部内に配置した摩擦装置を、前記支軸に回り止めされた押圧板を介してスプールに押圧し、前記摩擦装置を介挿した押圧板とスプールとの間に配置されかつ互いに摩擦係合する少なくとも一対の摩擦係合面により、前記支軸に対するスプールの摩擦結合力を形成するドラグ装置を備えた魚釣用リールであって、前記摩擦装置は、スプールに回り止めされるスプール側摩擦板と支軸に回り止めされる支軸側摩擦板とを交互に配置して複数対の摩擦係合面を形成する強制動ユニットと、スプールと支軸との一方に回り止めされて他方との間に前記強制動ユニットよりも少ない対の摩擦係合面を形成する弱制動ユニットとを互いに交換可能としたことを特徴とする。
【００１０】
【発明の実施の形態】
図１から図４は本発明の好ましい実施形態による魚釣用リール１０の全体を概略的に示す。
図１に示すように、魚釣用リール１０は、リール本体１２と、リール本体１２から延出する脚部１２ａと、脚部１２ａの端部に形成され且つ図示しない釣竿に取り付けられる竿取付部１２ｂとを有している。リール本体１２内にはハンドル軸１４が回転可能に支持されており、リール本体１２から突出するハンドル軸１４の端部にはハンドル１５が固定されている。
【００１１】
ハンドル軸１４のリール本体１２内に配置される部位には、図示しないドライブギアが取り付けられており、このドライブギアに、ハンドル軸１４に対して直交する方向に延在し且つ軸受けを介してリール本体１２内に回転可能に支持された円筒状構造のピニオンギア（図示しない）が噛合している。このピニオンギアの先端部には、ベール１６および釣糸案内装置１７を備えたロータ１８が一体的に取り付けられている。
【００１２】
また、このピニオンギア内には、支軸（スプール軸）２０が摺動可能に支持されており、上述のドライブギアを介してハンドル軸１４で作動されるオシレーティング機構（図示しない）により、軸方向に沿う一定のストロークで往復駆動することができる。この支軸２０の先端には、釣糸が巻回されるスプール２２が着脱可能に取付けられ、支軸２０と共にこのハンドル軸１４と直交する方向に往復動することができる。
【００１３】
したがって、この魚釣用リール１０は、ハンドル１５を回転操作してハンドル軸１４を回転させると、オシレーティング機構および支軸２０を介してスプール２２が前後に一定ストロークで往復動するとともに、ドライブギアおよびピニオンギアを介してロータ１８が回転する。これにより、ロータ１８に設けられた釣糸案内装置１７を介して、スプール２２に釣糸が均等に巻回される。
【００１４】
本実施形態の魚釣用リール１０には、フロントドラグ方式のドラグ装置２４を設けてあり、スプール２２に制動力を付与しながらスプール２２の釣糸繰り出し方向への回転を許容する（スプールの回転力を制御する）。このスプール２２は、ピン２６を介して支軸２０に回り止め固定された支持部材２８上に、軸方向に離隔した一対のベアリング３０を介して回転自在に支持され、ドラグ装置２４により、この支持部材２８の後端側フランジ部に回転不能に固定されたライニング材を兼ねる圧接板３２に押圧されている。
【００１５】
図２に詳細に示すように、このドラグ装置２４は、支軸２０の先端に螺合されるドラグ調節ツマミ３４と、スプール２２の軸方向に開口する凹部２３内に配置した摩擦装置３６と、この摩擦装置３６を圧接板３２に押圧する押圧板３８とを備える。この押圧板３８は、支持部材２８に回り止めされかつこの支持部材２８上を軸方向に移動可能に装着してあり、本実施形態ではスプール２２に回り止めされた摩擦装置３６を介して圧接板３２との間で、スプール２２の支持壁２１を挟み込み、支持部材２８および支軸２０に対するスプール２２の摩擦結合力を形成する。
【００１６】
この摩擦装置３６に対する押圧板３８の押圧力は、ドラグ調節ツマミ３４と押圧板３８との間に配置した圧縮バネ４０の付勢力で形成され、この押圧力はドラグ調節ツマミ３４で調節することができる。すなわち、ドラグ調節ツマミ３４を支軸２０に捩じ込むと、この捩じ込み量に応じたバネ４０の押圧力で、スプール２２が支持部材２８上に支えられた圧接板３２に押圧され、支軸２０に対するスプール２２の回転が規制される。逆に、ドラグ調節ツマミ３４を緩めると、その緩め具合に応じて、スプール２２の制動抵抗が低下し、支軸２０に対して回転し易くなる。
【００１７】
図２から図４に示すように、本実施形態の摩擦装置３６は、スプール２２の支持壁２１に回り止めされかつ支持部材２８に対して回転自在のアダプタ４２を備える。このアダプタ４２は、ステンレス鋼あるいはアルミニューム等で厚さｔ１がほぼ０．７〜１．５ｍｍ程度に形成された比較的厚肉構造の本体部４４から耳部４４ａを突出させ、中央部には支持部材２８よりも大径の装着孔４６を形成し、更に、耳部４４ａと同じ側には軽量化するための環状凹部４８を形成してある。このアダプタ４２は、耳部４４ａを支持壁２１に形成した係止孔２１ａに嵌合することにより、このスプール２２に対して一体回転状態で装着できると共に容易に取り外すことができる。
【００１８】
この摩擦装置３６は、押圧板３８とスプール２２の支持壁２１との間で、一対の摩擦係合面を形成する。すなわち、押圧板３８の後端側端面と、これに対向するアダプタ４２の前端側端面とが互いに摩擦係合するもので、これらの摩擦係合面間には例えば０．５〜１．５ｍｍ程度の厚さのライニング材５０を介挿してある。この摩擦装置３６が形成する摩擦係合面は一対であるため、スプール２２に与える制動力は強くはないものの、スプール２２の滑り出しが滑らかであると共に釣糸張力の変動が少ない。したがって、この摩擦装置３６は、後述する摩擦装置３５に比して制動力の小さい弱制動ユニットとして作用する。
【００１９】
なお、摩擦係合面間に介挿するライニング材５０は、フェルト、炭素繊維に樹脂を含浸させて硬化させたもの、あるいは織布等の適宜の材料で形成することができ、押圧板３８とアダプタ４２との一方に接着固定してもよく、あるいは、これらの押圧板とアダプタとの双方に対して固定することなく、ライニング材５０のみを交換可能に形成しても良い。
【００２０】
このアダプタ４２とライニング材５０とを備える摩擦装置３６は、図８に示す摩擦装置３５と交換することができる。
図８に示す摩擦装置３５は、内周部を支持部材２８に回り止め嵌合された金属製の支軸側摩擦板５２と、支持壁２１の係止孔２１ａに耳部５４ａを嵌合してスプール２２に回り止めされたスプール側摩擦板５４とを有する多板構造に形成され、押圧板３８とスプール２２の支持壁２１との間で、上述の摩擦装置３６よりも多い３対の摩擦係合面を形成する。このため、摩擦装置３５は、摩擦装置３６よりも摩擦係合する面積が大きく、押圧板３８の押圧力が等しい場合には、摩擦装置３６よりも大きな強い制動力・粘りを形成する強制動ユニットとして作用する。
【００２１】
これらの互いに対向する摩擦係合面間には、上述と同様なライニング材５０を介挿してある。また、支軸側摩擦板５２あるいはスプール側摩擦板５４を複数設けてる場合には、これらの支軸側摩擦板５２とスプール側摩擦板５４とを交互に配置する。いずれの場合も、この摩擦装置３５の軸方向長さは、摩擦装置３６のアダプタ４２の厚さｔ１に等しいことが好ましい。このように、摩擦装置３５の軸方向長さをアダプタ４２の厚さｔ１に等しく形成することにより、ドラグ調節ツマミ３４の締付け量を等しくした状態で、ドラグの制動特性を変更し、ドラグ調節ツマミ３４による調節との組み合わせにより、一つの魚釣用リール１０で、実釣りにおける様々な状況変化に対応させることができる。
【００２２】
図８に示す摩擦装置３５を図２に示す摩擦装置３６と交換する場合には、ドラグ調節ツマミ３４を支軸２０から取外し、押圧板３８をスプール２２の凹部２３から取外す。この後、摩擦装置３５の全体を凹部２３から取外し、摩擦装置３６を支持部材２８に装着し、押圧板３８をこの摩擦装置３６上に載置する。最後にドラグ調節ツマミ３４を支軸２０の先端に螺合し、所要位置まで締め付ける。
【００２３】
したがって、本実施形態の魚釣用リール１０は、弱制動ユニットを形成する摩擦装置３６と強制動ユニットを形成する摩擦装置３５とのそれぞれドラグ性能特性を必要に応じて選択することができ、釣対象魚あるいは釣法等によって、強い制動力・粘りが必要とされる場合には摩擦装置３５を用い、強い制動力は必要ないが滑らかな滑り出しと釣糸張力の変動が少ない制動力が必要な場合には、摩擦装置３６を用いることにより、同じ魚釣用リール１０およびスプール２２を用いて、実釣りにおける様々な状況変化に十分対応することができる。
【００２４】
図５および図６は、第２の実施形態による摩擦装置３６Ａを用いたドラグ装置２４を示す。なお、図中、上述の実施形態と同様な部位には同様な符号を付し、その詳細な説明を省略する。
この実施形態における摩擦装置３６Ａは、支持部材２８上に回り止めされたアダプタ６２を備え、スプール２２の支持壁２１との間に、ライニング材５０を介挿した一対の摩擦係合面を形成する。この摩擦装置３６Ａも、摩擦装置３６と同様な弱制動ユニットを形成する。
【００２５】
本実施形態のアダプタ６２は、ステンレス鋼あるいはアルミニューム等の好適な金属で厚さｔ２が例えば１．０〜２．０ｍｍ程度に形成された本体部６４を有し、中央部に形成した装着孔６６は、支持部材２８の外周面の非円形形状に対応した非円形形状に形成されている。符号６８は軽量化するための環状凹部を示す。
【００２６】
この摩擦装置３６Ａも、図８に示す摩擦装置３５と交換して用いることが可能であり、摩擦装置３５の支軸側摩擦板５２およびスプール側摩擦板５４に代えて、アダプタ６２を支持部材２８に装着することができる。
【００２７】
図７は、第３の実施形態による摩擦装置３６Ｂを用いたドラグ装置２４を示す。
この摩擦装置３６Ｂは、スプール側摩擦板５４を支持壁２１上で支えるアダプタ７２を有し、押圧板３８とスプール側摩擦板５４との間に、ライニング材５０を介挿した一対の摩擦係合面を形成する。この摩擦装置３６Ｂも、摩擦装置３６，３６Ａと同様な弱制動ユニットを形成する。
【００２８】
本実施形態のアダプタ７２は、支持部材２８よりも大径の装着孔７６を有し、押圧板３８を介する圧縮バネ４０の押圧力に抗してスプール側摩擦板５４を支えることができる。このアダプタ７２は、摩擦装置３５（図８）の支軸側摩擦板５２および２枚のライニング材５０と同じ厚さを有することが好ましい。上述のアダプタ４２，６２とは異なり、支持壁２１または支持部材２８のいずれとも回り止めしないで摩擦摺動するものではないため、金属だけでなく、樹脂で形成することも可能である。樹脂製とした場合には、魚釣用リール１０を軽量化することができる。
【００２９】
なお、上述の各実施形態では、強制動ユニットを形成する摩擦装置３５が３対の摩擦係合面を形成し、弱制動ユニットを形成する摩擦装置３６，３６Ａ，３６Ｂがそれぞれ一対の摩擦係合面を形成したが、ドラグ機能の制動特性を変更できるものであれば、これに限らず適宜数の摩擦係合面の対を形成しても良い。例えば強制動ユニットが４対以上の摩擦係合面を形成し、弱制動ユニットがこれよりも少ない例えば２対あるいは３対の摩擦係合面を形成しても良い。
【００３０】
【発明の効果】
以上明らかなように、本発明によると、同じリールおよびスプールを用いて、実釣りにおける様々な状況変化に十分対応することのできるドラグ性能特性を選択可能とした魚釣用リールを提供することができる。
【図面の簡単な説明】
【図１】本発明の好ましい実施形態による摩擦装置を装着した魚釣用リールの説明図。
【図２】図１の魚釣用リールのスプールの内部構造を示す拡大図。
【図３】図２のＩＩＩ−ＩＩＩ線に沿う断面図。
【図４】図２の魚釣用リールに用いたアダプタを示す断面図および底面図。
【図５】他の実施形態による摩擦装置を装着した魚釣用リールの図２と同様な拡大断面図。
【図６】図５の魚釣用リールに用いたアダプタを示す断面図および底面図。
【図７】更に他の実施形態による摩擦装置を装着した魚釣用リールの図２と同様な拡大断面図。
【図８】各実施形態の摩擦装置と交換可能な多板構造の摩擦装置を装着した魚釣用リールの図２と同様な拡大断面図。
【符号の説明】
１０…魚釣用リール、１２…リール本体、２０…支軸、２２…スプール、２３…凹部、２４…ドラグ装置、３５，３６，３６Ａ，３６Ｂ…摩擦装置、３８…押圧板。
【図１】
2004290063.tif 000003
【図２】
2004290063.tif 000004
【図３】
2004290063.tif 000005
【図４】
2004290063.tif 000006
【図５】
2004290063.tif 000007
【図６】
2004290063.tif 000008
【図７】
2004290063.tif 000009
【図８】
2004290063.tif 000010